【手続補正書】
【提出日】平成25年1月17日(2013.1.17)
【手続補正１】
【補正対象書類名】明細書
【補正対象項目名】００１１
【補正方法】変更
【補正の内容】
【００１１】
上記の目的を達成するため、本発明の画像形成システムは、それぞれ画像データに応じて記録シートの上に画像形成を行い、形成された画像を該記録シートに定着する定着手段を有する第１及び第２の画像形成装置を有し、前記第１及び前記第２の画像形成装置が連結されて、前記第１の画像形成装置が前記記録シートの排出方向の上流側に位置する画像形成システムにおいて、印刷を行わない場合に、前記第１及び前記第２の画像形成置の少なくとも一方を、前記定着手段の温度調整を行っている状態であるスタンバイ状態と該スタンバイ状態よりも消費電力が低いスリープ状態とのいずれかの状態に選択的に制御する制御手段を有し、前記制御手段は、前記記録シートの一面に前記第１の画像形成装置で画像形成を行った後に該記録シートの他面に前記第２の画像形成装置で画像形成を行う両面印刷を行う場合、前記第１及び前記第２の画像形成装置の双方を前記スタンバイ状態にさせ、前記記録シートの一面に前記第２の画像形成装置で画像形成を行う片面印刷を行う場合に、前記第１の画像形成装置をスリープ状態とし、前記第２の画像形成装置をスタンバイ状態とするよう前記第１及び前記第２の画像形成装置を制御することを特徴とする。
上記の目的を達成するため、本発明の制御方法は、それぞれ画像データに応じて記録シートの上に画像形成を行い、形成された画像を該記録シートに定着する定着手段を有する第１及び第２の画像形成装置を有し、前記第１及び前記第２の画像形成装置が連結されて、前記第１の画像形成装置が前記記録シートの排出方向の上流側に位置する画像形成システムを制御するための制御方法において、印刷を行わない場合に、前記第１及び前記第２の画像形成置を、前記定着手段の温度調整を行っている状態であるスタンバイ状態と該スタンバイ状態よりも少なくとも消費電力が低いスリープ状態とのいずれかの状態に選択的に制御するステップと、前記記録シートの一面に前記第１の画像形成装置で画像形成を行った後に該記録シートの他面に前記第２の画像形成装置で画像形成を行う両面印刷を行う場合、前記記録シートに片面印刷を行う場合、前記第１及び前記第２の画像形成装置の双方を前記スタンバイ状態にし、前記記録シートの一面に前記第２の画像形成装置で画像形成を行う片面印刷を行う場合、前記第１の画像形成装置をスリープ状態とし、前記第２の画像形成装置をスタンバイ状態とするよう前記第１の画像形成装置及び前記第２の画像形成装置を制御するステップと、を有することを特徴とする。
上記の目的を達成するため、本発明の制御プログラムは、それぞれ画像データに応じて記録シートの上に画像形成を行い、形成された画像を該記録シートに定着する定着手段を有する第１及び第２の画像形成装置を有し、前記第１及び前記第２の画像形成装置が連結されて、前記第１の画像形成装置が前記記録シートの排出方向の上流側に位置する画像形成システムを制御するための制御プログラムにおいて、コンピュータによって実行され、印刷を行わない場合に、前記第１及び前記第２の画像形成置を、前記定着手段の温度調整を行っている状態であるスタンバイ状態と該スタンバイ状態よりも少なくとも消費電力が低いスリープ状態とのいずれかの状態に選択的に制御するステップと、前記記録シートの一面に前記第１の画像形成装置で画像形成を行った後に該記録シートの他面に前記第２の画像形成装置で画像形成を行う両面印刷を行う場合、前記第１及び前記第２の画像形成装置の双方を前記スタンバイ状態にし、前記記録シートに片面印刷を行う場合、前記第１の画像形成装置をスリープ状態とし、前記記録シートに前記第２の画像形成装置をスタンバイ状態とするよう前記第１の画像形成装置及び前記第２の画像形成装置を制御するステップと、を有することを特徴とする。
また、本発明による記録媒体は、上記の制御プログラムが記録されたコンピュータに読み取り可能な記録媒体である。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明によれば、印刷に用いない画像形成装置をスリープ状態にして、画像形成を実行できるので、ユーザーからのジョブ指令に迅速に対処することができるばかりでなく、消費電力を削減して部品寿命に適切に対処することができるという効果がある。
【手続補正６】
【補正対象書類名】特許請求の範囲
【補正対象項目名】全文
【補正方法】変更
【補正の内容】
【特許請求の範囲】
【請求項１】
それぞれ画像データに応じて記録シートの上に画像形成を行い、形成された画像を該記録シートに定着する定着手段を有する第１及び第２の画像形成装置を有し、前記第１及び前記第２の画像形成装置が連結されて、前記第１の画像形成装置が前記記録シートの排出方向の上流側に位置する画像形成システムにおいて、
印刷を行わない場合に、前記第１及び前記第２の画像形成置の少なくとも一方を、前記定着手段の温度調整を行っている状態であるスタンバイ状態と該スタンバイ状態よりも消費電力が低いスリープ状態とのいずれかの状態に選択的に制御する制御手段を有し、
前記制御手段は、前記記録シートの一面に前記第１の画像形成装置で画像形成を行った後に該記録シートの他面に前記第２の画像形成装置で画像形成を行う両面印刷を行う場合、前記第１及び前記第２の画像形成装置の双方を前記スタンバイ状態にさせ、前記記録シートの一面に前記第２の画像形成装置で画像形成を行う片面印刷を行う場合に、前記第１の画像形成装置をスリープ状態とし、前記第２の画像形成装置をスタンバイ状態とするよう前記第１及び前記第２の画像形成装置を制御することを特徴とする画像形成システム。
【請求項２】
前記制御手段は、片面印刷を行う場合に、前記第１の画像形成装置が前記スリープ状態である場合に、前記第１の画像形成装置を前記スリープ状態のまま維持させ、前記第１の画像形成装置が前記スタンバイ状態である場合に、前記第１の画像形成装置を前記スリープ状態に移行させることを特徴とする請求項１記載の画像形成システム。
【請求項３】
前記第１の画像形成装置の画像形成動作を制御する第１の制御手段と、前記第２の画像形成装置の画像形成動作を制御する第２の制御手段とを有し、前記制御手段は、前記第１の制御手段と前記第２の制御手段とを制御することを特徴とする請求項１又は２に記載の画像形成システム。
【請求項４】
前記制御手段は、両面印刷において記録シートの一面に印刷するべき画像を前記第１の制御手段へ転送し、記録シートの他面に印刷するべき画像を前記第２の制御手段へ転送し、片面印刷において印刷するべき画像を前記第２の制御手段へ転送することを特徴とする請求項３記載の画像形成システム。
【請求項５】
それぞれ画像データに応じて記録シートの上に画像形成を行い、形成された画像を該記録シートに定着する定着手段を有する第１及び第２の画像形成装置を有し、前記第１及び前記第２の画像形成装置が連結されて、前記第１の画像形成装置が前記記録シートの排出方向の上流側に位置する画像形成システムを制御するための制御方法において、
印刷を行わない場合に、前記第１及び前記第２の画像形成置を、前記定着手段の温度調整を行っている状態であるスタンバイ状態と該スタンバイ状態よりも少なくとも消費電力が低いスリープ状態とのいずれかの状態に選択的に制御するステップと、
前記記録シートの一面に前記第１の画像形成装置で画像形成を行った後に該記録シートの他面に前記第２の画像形成装置で画像形成を行う両面印刷を行う場合、前記記録シートに片面印刷を行う場合、前記第１及び前記第２の画像形成装置の双方を前記スタンバイ状態にし、前記記録シートの一面に前記第２の画像形成装置で画像形成を行う片面印刷を行う場合、前記第１の画像形成装置をスリープ状態とし、前記第２の画像形成装置をスタンバイ状態とするよう前記第１の画像形成装置及び前記第２の画像形成装置を制御するステップと、
を有することを特徴とする制御方法。
【請求項６】
それぞれ画像データに応じて記録シートの上に画像形成を行い、形成された画像を該記録シートに定着する定着手段を有する第１及び第２の画像形成装置を有し、前記第１及び前記第２の画像形成装置が連結されて、前記第１の画像形成装置が前記記録シートの排出方向の上流側に位置する画像形成システムを制御するための制御プログラムにおいて、
コンピュータによって実行され、
印刷を行わない場合に、前記第１及び前記第２の画像形成置を、前記定着手段の温度調整を行っている状態であるスタンバイ状態と該スタンバイ状態よりも少なくとも消費電力が低いスリープ状態とのいずれかの状態に選択的に制御するステップと、
前記記録シートの一面に前記第１の画像形成装置で画像形成を行った後に該記録シートの他面に前記第２の画像形成装置で画像形成を行う両面印刷を行う場合、前記第１及び前記第２の画像形成装置の双方を前記スタンバイ状態にし、前記記録シートに片面印刷を行う場合、前記第１の画像形成装置をスリープ状態とし、前記記録シートに前記第２の画像形成装置をスタンバイ状態とするよう前記第１の画像形成装置及び前記第２の画像形成装置を制御するステップと、
を有することを特徴とする制御プログラム。
【請求項７】
請求項６に記載の制御プログラムが記録されたコンピュータに読み取り可能な記録媒体。